(57)【特許請求の範囲】
【請求項１】
複数の異なる領域での焦点状態をそれぞれ検出する焦点検出手段と、検出された各領域での焦点状態に基づいて前記複数の領域のうちからピント調整領域を決定し、該ピント調整領域で検出された焦点状態に基づいてレンズの焦点調節を行う焦点調節手段とを有し、
前記各領域に対応して設けられた複数の表示部のうち、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応した表示部の周辺にない表示部に対しては表示を禁止する合焦表示制御手段を有したことを特徴とする自動焦点調節装置。
【請求項２】
前記合焦表示制御手段は、前記各領域で検出された焦点状態が前記ピント調整領域での焦点状態に対して所定の関係を満たすか否かを判定し、前記表示が許可された表示部のうち、前記判定にて所定の関係を満たすと判定された領域に対応した表示部、並びに前記ピント調整領域に対応した表示部を表示状態とすることを特徴とする請求項１記載の自動焦点調節装置。
【請求項３】
複数の異なる領域での焦点状態をそれぞれ検出する焦点検出手段と、前記複数の異なる領域に対応した複数の表示部を有し、該表示部にて焦点検出結果を表示する表示手段と、前記焦点検出手段により検出された各領域での焦点状態に基づいて前記複数の領域のうちからピント調整領域を決定し、該ピント調整領域で検出された焦点状態に基づいてレンズの焦点調節を行う焦点調節手段と、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応する表示部の周辺にない表示部に対しては表示を禁止する合焦表示制御手段とを有したことを特徴とする撮像装置。
【請求項４】
複数の異なる領域での焦点状態をそれぞれ検出する焦点検出ステップと、検出された各領域での焦点状態に基づいて前記複数の領域のうちからピント調整領域を決定し、該ピント調整領域で検出された焦点状態に基づいてレンズの焦点調節を行う焦点調節ステップと、前記各領域に対応して設けられた複数の表示部のうち、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応した表示部の周辺にない表示部に対しては表示を禁止する合焦表示制御ステップとを有したことを特徴とする自動焦点調節方法。
【発明の詳細な説明】
【０００１】
本発明は、複数の異なる領域での焦点状態をそれぞれ検出する機能を備えた自動焦点調節装置、撮像装置及び自動焦点調節方法の改良に関するものである。
【０００２】
【従来の技術】
従来の画面内の複数の領域の焦点検出を可能とするカメラにおいて、検出される焦点検出結果の表示として、例えば特開平８−２８６２５３号では、焦点検出可能な全ての領域の位置と各領域が合焦状態であるか否かを表示部材の各表示セグメントの色をそれぞれ変えることによって一目で認識させるようにしている。
【０００３】
【発明が解決しようとする課題】
しかしながら、上記特開平８−２８６２５３号においては、合焦領域すべてについて表示を行う構成にしている為、合焦表示が被写体に重なり、被写体が見にくくなるといった欠点があった。
【０００４】
例えば、図８（ｂ）の例では、領域ｃ１０の領域においてピント合わせを行った場合、同じ距離にある測距又は焦点検出領域で合焦となり、これら全部の合焦状態を表示すると、赤ちゃんの顔全体の測距又は焦点検出領域で表示が為されてしまう。この様な表示を行うと、合焦している領域は確認できるが、被写体が見難くなり、撮影に支障をきたす。又、実際にピント合わせを行った測距又は焦点検出領域が判らなくなってしまう。
【０００５】
さらに、全ての測距又は焦点検出領域で合焦表示を行うと、主被写体ではない部分でも、たまたま主被写体と同じ距離にある物体を測距又は焦点検出した領域は合焦表示してしまうので、撮影者は間違った被写体に合焦したかのように認識してしまう。
【０００６】
例えば、図８（ａ）の例では、人の顔の部分が存在するｂ３の領域においてピント合わせが為された場合であるが、この領域と同じ距離にある街灯の部分も合焦状態にあるため、街灯部分も合焦表示が行われる。このように、全ての測距又は焦点検出領域で合焦表示を行ってしまうと、撮影者は街灯にピント合わせを行ったのか、人にピント合わせを行ったのか判断できなくなってしまう。さらに、間違って街灯にピント合わせを行ったようにも認識してしまう可能性がある。
【０００７】
（発明の目的）  本発明の第１の目的は、ピント合わせを行った領域と合焦状態にある領域を明確に認識させ、さらに余分な合焦表示を行わないようにして、画面内の観察に支障を与えないようにすることのできる自動焦点調節装置及び自動焦点調節方法を提供しようとするものである。
【０００８】
本発明の第２の目的は、ピント合わせを行った領域と合焦状態にある領域を明確に認識させ、さらに余分な合焦表示を行わないようにして撮影の妨げにならないようにすることのできる撮像装置を提供しようとするものである。
【０００９】
【課題を解決するための手段】
上記第１の目的を達成するために、請求項１及び２記載の本発明は、複数の異なる領域での焦点状態をそれぞれ検出する焦点検出手段と、検出された各領域での焦点状態に基づいて前記複数の領域のうちからピント調整領域を決定し、該ピント調整領域で検出された焦点状態に基づいてレンズの焦点調節を行う焦点調節手段とを有し、前記各領域に対応して設けられた複数の表示部のうち、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応した表示部の周辺にない表示部に対しては表示を禁止する合焦表示制御手段を有した自動焦点調節装置とするものである。
【００１３】
同じく上記第２の目的を達成するために、請求項３記載の本発明は、複数の異なる領域での焦点状態をそれぞれ検出する焦点検出手段と、前記複数の異なる領域に対応した複数の表示部を有し、該表示部にて焦点検出結果を表示する表示手段と、前記焦点検出手段により検出された各領域での焦点状態に基づいて前記複数の領域のうちからピント調整領域を決定し、該ピント調整領域で検出された焦点状態に基づいてレンズの焦点調節を行う焦点調節手段と、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応する表示部の周辺にない表示部に対しては表示を禁止する合焦表示制御手段とを有した撮像装置とするものである。
【００１４】
また、上記第１の目的を達成するために、請求項４記載の本発明は、複数の異なる領域での焦点状態をそれぞれ検出する焦点検出ステップと、検出された各領域での焦点状態に基づいて前記複数の領域のうちからピント調整領域を決定し、該ピント調整領域で検出された焦点状態に基づいてレンズの焦点調節を行う焦点調節ステップと、前記各領域に対応して設けられた複数の表示部のうち、前記ピント調整領域で検出された焦点状態に基づいた焦点調節を行うことにより合焦状態となった領域に対応した表示部であって、かつ、前記ピント調整領域に対応した表示部及び該表示部の周辺にある表示部に対して表示を許可するとともに、前記ピント調整領域で検出された焦点状態に基づいた焦点調節を行うことにより合焦状態となった領域に対応した表示部であっても前記ピント調整領域に対応した表示部の周辺にない表示部に対しては表示を禁止する合焦表示制御ステップとを有した自動焦点調節方法とするものである。
【００１５】
【発明の実施の形態】
以下、本発明を図示の実施の形態に基づいて詳細に説明する。
【００１６】
図２は本発明の実施の第１の形態に係る自動焦点カメラの電気的構成を示すブロック図である。
【００１７】
同図において、１はカメラの各部の動きを制御する為のマイクロコンピュータである。２はレンズ制御回路で、撮影レンズ１３のピント調節用モータと絞り羽根制御用モータを駆動制御するものであり、前記マイクロコンピュータ１からＬＣＯＭ信号を受けている間、データバスＤＢＵＳを介してシリアル通信を行う。そして、シリアル通信にてマイクロコンピュータ１よりレンズ駆動情報を受け取ると、その情報によりレンズを駆動制御する。また、同時にレンズの各種の情報（焦点距離情報等）をシリアル通信によりマイクロコンピュータ１に送る。
【００１８】
３は、カメラのバッテリー残量，撮影枚数，ＴＶ値，ＡＶ値，露出補正値，合焦状態等を撮影者に知らせる為の後述の液晶表示部材１１，１２、及び、フォーカシングスクリーン上に配置される後述の液晶表示部材１５を駆動する液晶表示回路であり、該液晶表示回路３は、マイクロコンピュータ１からＤＰＣＯＭ信号を受けている間、データバスＤＢＵＳを介しシリアル通信を行い、このシリアル通信によりマイクロコンピュータ１より表示データを受け取ると、そのデータに従って前記液晶表示部材１１，１２，１５を駆動する。
【００１９】
４はスイッチセンス回路であり、撮影者が各撮影条件を設定する為のスイッチやカメラの状態を示すスイッチの状態を読み取り、マイクロコンピュータ１に送る回路であり、ＳＷＣＯＭ信号を受けている間、データバスＤＢＵＳを介しシリアル通信によりマイクロコンピュータ１にスイッチデータを送る。また、電子ダイヤル１０の入力値により、ダイアル値のカウントアップやカウントダウンも行い、ＳＷＣＯＭ信号を受けている間、データバスＤＢＵＳを介しシリアル通信によりマイクロコンピュータ１にカウント値を送る。
【００２０】
５はストロボの発光とＴＴＬ調光による発光停止機能を制御するストロボ発光調光制御回路であり、ＳＴＣＯＭ信号を受けている間、データバスＤＢＵＳを介してマイクロコンピュータ１とシリアル通信を行い、ストロボ制御に関するデータを受け取り、各種の制御を行う。また、この回路は、外付けストロボ装置１４がカメラに装着された場合のインターフェースの働きも行う。よって、外付けストロボ装置１４が装着された場合は、該外付けストロボ装置１４と通信を行い、補助光手段が具備されているか否かの情報をマイクロコンピュータ１に送る。逆に、マイクロコンピュータ１からの制御信号を外付けストロボ装置１４に伝える役割も行う。
【００２１】
６は焦点検出回路であり、既存の位相差検出方式によりＡＦを行う為の光電変換センサと、その蓄積読出しの為の回路ユニットになったもので、マイクロコンピュータ１により制御される。
【００２２】
マイクロコンピュータ１は、前記焦点検出回路６のセンサ出力のＡ／Ｄ値を基に既存のアルゴリズムで焦点検出を行い、レンズ駆動量を演算した後に合焦する様に前記レンズ制御回路２へ演算にて求めたレンズ駆動量を通信し、レンズを駆動して合焦させる。また、合焦後は他の焦点検出領域が合焦範囲内、又は、被写界深度内にあるかどうかの判別も行う。マニアルフォーカス時には、レンズ駆動は行わず、合焦判別のみ行う。
【００２３】
７は測光回路であり、被写体の測光を行い、マイクロコンピュータ１の制御により測光出力をマイクロコンピュータに送る。マイクロコンピュータ１は送られた測光出力をＡ／Ｄ変換し、露出条件（絞り，シャッタスピード）の設定に用いる。８はシャッタ制御回路であり、マイクロコンピュータ１の制御信号に従って、不図示のシャッタ先幕及び後幕の走行制御を行う。
【００２４】
９は給送モータ・チャージモータ制御回路であり、マイクロコンピュータ１からの制御信号に従ってフィルムの給送（巻上げ，巻戻し）を行う。また、該モータ制御回路９は、クイックリターンミラーのアップ／チャージ（ミラーダウン）用モータの制御も行う。
【００２５】
ＳＷ１はカメラの撮影準備動作を開始させる為のスイッチであり、該スイッチＳＷ１がＯＮされた事をマイクロコンピュータ１が認識すると、測光・焦点検出・表示をスタートさせる。ＳＷ２はカメラの撮影動作を開始させる為のスイッチであり、該スイッチＳＷ２がＯＮされたことをマイクロコンピュータ１が認識すると、露光動作をスタートさせる。Ｘ接点はシャッタの先幕の走行完のタイミングでＯＮし、ストロボ発光のタイミングをストロボ発光調光制御回路５に知らせる役目をする。ＳＷ３はカメラのモード（ＴＶ優先，ＡＶ優先，マニアル，プログラム等）を切り換える為のモード切換えスイッチである。
【００２６】
１０は、ＴＶ値，ＡＶ値，モード等を変更する為の電子ダイヤルである。例えば、モード切換えスイッチＳＷ３を押しながら電子ダイヤル１０を回転させると、“ＴＶ優先”→“ＡＶ優先”→“マニアル”→“プログラム”→“ＴＶ優先”→“ＡＶ優先”→“マニアル”→“プログラム”→、……と、モードが変更され、撮影者の意図するモードに設定することができる。また、電子ダイヤル１０を逆回転させた時は、“プログラム”→“マニアル”→“ＡＶ優先”→“ＴＶ優先”→“プログラム”→、……と、モードは変更される。
【００２７】
又、モード切換えスイッチＳＷ３と電子ダイヤル１０により、“ＴＶ優先”がモードとして設定されている場合には、電子ダイヤル１０を回転させることにより、撮影者の希望とするＴＶ値を設定することができる。また、モード切換えスイッチＳＷ３と電子ダイヤル１０により、“ＡＶ優先”がモードとして設定されている場合には、電子ダイヤル１０を回転させることにより、撮影者の希望とするＡＶ値を設定することができる。
【００２８】
ＳＷ４はマニアル時にＡＶ値をセットする為のＡＶ値設定スイッチであり、前記モード切換えスイッチＳＷ３と電子ダイヤル１０によりマニアルモードが選択されている場合に、該ＡＶ値設定スイッチＳＷ４を押さずに電子ダイヤル１０を回転させると、回転した分のＴＶ値がアップ／ダウンし、ＴＶ値の設定が可能となり、該スイッチＳＷ４を押しながら電子ダイヤル１０を回転させると、回転した分のＡＶ値がアップ／ダウンし、ＡＶ値の設定が可能となる。
【００２９】
ＳＷ５は焦点検出モード切換えスイッチである。例えば、焦点検出モード切換えスイッチＳＷ５をＯＮさせながら電子ダイヤル１０を回転させると、焦点検出に使う焦点検出領域の選択が可能である。全ての焦点検出領域を指定することにより、カメラが自動的にピント合わせを行う焦点検出領域自動モードの設置も行うことができる。
【００３０】
１１は外部液晶表示部材であり、液晶表示回路３にて駆動される。１２はファインダ内液晶表示部材であり、同様に液晶表示回路３にて駆動される。１３は交換可能な撮影レンズであり、レンズ制御回路２を通して制御される。１４は外付けストロボ装置であり、ストロボ発光調光制御回路５を通して制御される。また、該外付けストロボ装置１４は、カメラ本体とは別な電源を持つ。
【００３１】
１５は焦点検出結果を表示する為の液晶表示部材で、フォーカシングスクリーン上に配置されており、本実施の形態では、４５個の焦点検出領域それぞれに対応が付くように４５個のセグメントが配置されている。
【００３２】
図１はファインダ内表示を説明するための図である。
【００３３】
図１（ａ）は、フォーカス状態が合焦するまでの焦点検出領域が表示されていない状態の図であり、図中、ＡＡＲは全焦点検出領域を表し、この内側で焦点検出が可能である。
【００３４】
図１（ｂ）は、全ての焦点検出領域を表示したときの図であり、焦点検出領域は上から、ａ，ｂ，ｃ，ｄ，ｅ、左から０，１，２，３，……，２０の番号を付けて、それぞれを記述する。すなわち、一番上の列は、左から、ａ４，ａ６，ａ８，……，ａ１６、２番目の列は、左から、ｂ１，ｂ３，ｂ５，……，ｂ１９、３番目の列は、左から、ｃ０，ｃ２，ｃ４，……，ｃ２０、４番目の列は、左から、ｄ１，ｄ３，ｄ５，……，ｄ１９、一番下の列は、左から、ｅ４，ｅ６，……ｅ１６となる。この表記方法において、例えば中央の焦点検出領域はｃ１０、上から２番目の列で左から２番目の焦点検出領域はｂ３と表す。
【００３５】
次に、図３のフロチャートを用いて、簡単にカメラ（マイクロコンピュータ１）の動作について説明する。
【００３６】
ステップ＃３００はカメラのメインスイッチが押された等の要因によりカメラの電源が入った状態であり、ステップ＃３０１から動作を開始する。まず、ステップ＃３０１においては、スイッチセンス回路４の情報を基に、モードの切換えや設定値の切換えを行い、変化があった場合には液晶表示回路３に通信して表示データや表示の色を修正する。次のステップ＃３０２においては、スイッチＳＷ１がＯＮしているか否かを判別し、ＯＮしていれば測光動作を行う為にステップ＃３０６へ進み、ＯＦＦのままである場合には電源をＯＦＦするかどうかの判別を行うステップ＃３０３へ進む。
【００３７】
ここではスイッチＳＷ１がＯＦＦのままであるとして、ステップ＃３０３へ進むものとする。
【００３８】
ステップ＃３０３においては、電源をＯＦＦするかどうかの判別を行い、ＯＦＦする場合であればステップ＃３０４へ進み、ＯＦＦしない場合はステップ＃３０２のスイッチＳＷ１のチェックに戻る。つまり、何らかの要因でカメラの電源が立ち上がった場合には、一定時間、電源を起こしておくことにより、スイッチ状態のチェックや表示の切換えを行う。
【００３９】
ステップ＃３０４においては、カメラのファインダ内や外部の不必要な部分の表示を液晶表示回路３により消灯し、電源をＯＦＦする。そして、次のステップ＃３０５において、一連の動作を終了する。
【００４０】
上記ステップ＃３０２にてスイッチＳＷ１がＯＮしたことを判別した場合は前述した様にステップ＃３０６へ進み、測光回路７を動作させて被写体での反射光を取り込み、Ａ／Ｄ変換して測光情報を得る。そして、露出条件（絞り，シャッタスピード）の演算を行う。次のステップ＃３０７においては、焦点検出回路６を用いて複数領域の焦点検出を行うために光電変換センサの蓄積を行わせると共に、そのセンサ出力を取り込み、そのＡ／Ｄ変換値から各焦点検出領域毎のフォーカス情報を算出する。そして、これらの焦点検出結果を基に既存のアルゴリズムでデフォーカス量算出演算を行い、所定領域の焦点検出結果に基づきレンズ駆動量を演算した後に、合焦するようにレンズ制御回路２へレンズ駆動量を通信し、レンズを駆動し合焦させる。
【００４１】
次のステップ＃３０８においては、上記ステップ＃３０６で演算されたＡＶ値やＴＶ値を液晶表示回路３によりファインダ内液晶表示部材１２と外部液晶表示部材１１に表示する。また、上記ステップ＃３０７で得られた各焦点検出領域の各焦点検出結果（及び非合焦の焦点検出領域が被写界深度内であるか否か）を、液晶表示部材１５にそれぞれ表示する（詳細は後述する）。そして、次のステップ＃３０９において、カメラの状態がレリーズを許可して良い状態か否かの判別を行う。例えば、ＡＦモードが「ワンショットモード」である場合は、上記ステップ＃３０７の測距結果が合焦ならばレリーズは許可され、スイッチＳＷ２のチェックを行うためにステップ３１０へ進み、合焦でない場合はステップ＃３０１に戻る。
【００４２】
上記の様にステップ＃３０１に戻った後は、上記と同様、必要に応じてモード等の表示を行い、スイッチＳＷ１のチェックのためのステップ＃３０２へと進む。そして、スイッチＳＷ１がＯＮの場合は、再び測光，焦点検出，表示を行い（ステップ＃３０２→＃３０６→＃３０７→＃３０８）、再度カメラの状態がレリーズを許可して良い状態か否かの判別を行う（ステップ＃３０９）。
【００４３】
ステップ＃３１０においては、スイッチＳＷ２がＯＮしているか否かを判別し、ＯＮであれば撮影動作を行うためにステップ＃３１１に進み、スイッチＳＷ２がＯＦＦの場合は、スイッチＳＷ１のチェツクのためにステップ＃３０１及びステップ＃３０２に戻り、ここで、スイッチＳＷ１がＯＮの場合は再び測光，焦点検出，表示を行うことになる。
【００４４】
ステップ＃３１１においては、給送モータ・チャージモータ制御回路９により、クリックリターンミラーをアップすると共に、上記ステップ＃３０６で決められた絞り量をレンズ制御回路２により撮影レンズ１３に通信し、設定露光量が得られるように絞り込み動作を行う。次のステップ＃３１２においては、シャッタ制御回路８を用いて上記ステップ３０６で決められたＴＶ量が得られる様に不図示のシャッタ先幕及び後幕の走行制御を行う。続くステップ＃３１３においては、上記給送モータ・チャージモータ制御回路９により、クリックリターンミラーをダウンすると同時にシャッタのチャージを行い、上記ステップ＃３０６にて絞り込まれていた絞りを開放に戻す。そして、次のステップ＃３１４において、給送モータ・チャージモータ制御回路９を用いて不図示の給送モータを制御し、フィルムの巻上げを行う。
【００４５】
以上で、カメラの一連の動作を終了する。
【００４６】
次に、図４を使ってファインダ内表示について説明を行う。
【００４７】
図４（ａ）は、オートフォーカスを行うべきシーンの一例である。まず、全焦点検出領域ＡＲＲの内側で焦点検出を行い、所定のアルゴリズムによりｂ３をピント調整領域として指定し、この焦点検出領域でピント合わせを行った。ピント合わせが終了した後に合焦になっている焦点領域は、ｂ３以外にも、ｂ５，ｂ９，ｃ４，ｃ６，ｃ８，ｃ１０，ｄ１，ｄ３，ｄ５，ｄ７，ｄ９，ｄ１１，ｄ１３，ａ１４，ａ１６，ｂ１５，ｂ１７，ｃ１６，ｄ１５，ｄ１７が合焦状態になっている。
【００４８】
図４（ｃ）は所定領域を説明する図であり、真ん中の領域がピント合わせを行った領域である（この図ではピント合わせをした領域がわかり易い様に、黒く塗りつぶしている）。この領域と所定の位置関係にある領域は、ピント合わせを行った中央の領域から上下左右２領域部分である。これらの領域のみ焦点検出結果の表示を行う。領域ｂ３でピント合わせを行った場合、合焦表示を行うべき焦点検出領域は、図４（ｄ）に示した様に、領域ｂ３を中心に回り２領域の範囲、すなわち、ａ４，ａ６，ｂ１，ｂ３，ｂ５，ｂ７，ｃ０，ｃ２，ｃ４，ｃ６，ｄ１，ｄ３，ｄ５である。この中で合焦状態にある焦点検出領域は、ｂ３，ｂ５，ｃ２，ｃ４，ｃ６，ｄ１，ｄ３，ｄ５の８つの領域なので、この領域の合焦表示を行うと、図４（ｂ）の様になる。
【００４９】
この様な合焦表示を行う事により、左側の人間でピント合わせを行ったことが判るし、余分な合焦表示を行って撮影の邪魔になることもない。また、外灯部分には合焦表示を行わないので、撮影者に間違った被写体にピント合わせを行ったかのように認識される心配もない。
【００５０】
（実施の第２の形態）
以下、本発明の実施の第２の形態について説明する。なお、この実施の形態におけるカメラの電気的構成は上記図２と同様であり、図１のファインダ内表示についても同様であり、又カメラの動作についても図３のフローチャートと同様であるので、これらの説明については省略する。
【００５１】
図４（ａ）のシーンを使って、本発明の実施の第２の形態の説明を行う。
【００５２】
上記実施の第１の形態と同様、このシーンは、ｂ３領域でピント合わせが行われ、ｂ３，ｂ５，ｂ９，ｃ４，ｃ６，ｃ８，ｃ１０，ｄ１，ｄ３，ｄ５，ｄ７，ｄ９，ｄ１１，ｄ１３，ａ１４，ａ１６，ｂ１５，ｂ１７，ｃ１６，ｄ１５，ｄ１７が合焦状態になっている。
【００５３】
図５（ｂ）は本発明の実施の第２の形態における所定領域を説明する図であり、真ん中の領域がピント合わせを行った領域である。この領域と所定の位置関係にある領域は、ピント合わせを行った中央の領域に近接する上下左右１領域部分である。これらの領域内で、さらに合焦状態にある領域は合焦表示を行う。
【００５４】
図５（ｃ）に、領域ｂ３でピント合わせを行った場合の、近接領域を図示している。この図で判るように、ａ４，ｂ１，ｂ５，ｃ２，ｃ４が近接領域で、これにピント合わせを行ったｂ３を含めた６つの領域が合焦状態ならば表示を行う。この領域内で合焦状態の領域はｂ３，ｂ５，ｃ４なので、この３つの領域の合焦表示を行う（図５（ａ）参照）。
【００５５】
この様な合焦表示を行う事により、左側の人間でピント合わせを行ったことが判るし、余分な合焦表示を行って撮影の邪魔になることもない。さらに、誤測距（誤焦点検出）と認識されることもない。
【００５６】
次に、図６のシーンを使って、本発明の実施の第２の形態におけるファインダ内表示について、さらに説明を加える。
【００５７】
図６（ａ）はオートフォーカスを行うべきシーンの一例である。まず、全焦点検出領域ＡＡＲの内側で焦点検出を行い、所定のアルゴリズムによりｃ１０をピント調節領域として指定し、この焦点検出領域でピント合わせを行った。ピント合わせが終了した後に合焦になっている焦点領域は、ａ６，ａ８，ｂ３，ｂ５，ｂ７，ｂ９，ｂ１１，ｃ２，ｃ４，ｃ６，ｃ８，ｃ１０，ｃ１２，ｄ３，ｄ５，ｄ７，ｄ９である。図５（ｂ）の領域をこのシーンに当てはめると、図６（ｃ）の様な７つの領域ｂ９，ｂ１１，ｃ８，ｃ１０，ｃ１２，ｄ９，ｄ１１が合焦表示を行う領域となる。この中で合焦状態となっている領域は、ｂ９，ｂ１１，ｃ８，ｃ１０，ｃ１２，ｄ９であるから、図６（ｂ）の様にこの６つの領域の合焦領域を表示する。
【００５８】
このような場合に合焦になった焦点検出領域全てを表示すると肝心の被写体が見ずらく撮影に支障をきたすが、この実施の形態の様にピント合わせを行った領域とその近接領域の合焦状態を表示すれば、赤ちゃんの左目でピント合わせを行ったことが判るし、余分な合焦表示を行って赤ちゃんの顔が見ずらくなって撮影の邪魔になることもない。
【００５９】
（実施の第３の形態）  以下、本発明の実施の第３の形態について説明する。なお、この実施の形態におけるカメラの電気的構成は上記図２と同様であり、図１のファインダ内表示についても同様であり、又カメラの動作についても図３のフローチャートと同様であるので、これらの説明について省略する。
【００６０】
図６（ａ）のシーンを使って本発明の実施の第３の形態について説明する。上記実施の第２の形態と同様、このシーンは、ｃ１０領域でピント合わせが行われ、ａ６，ａ８，ｂ３，ｂ５，ｂ７，ｂ９，ｂ１１，ｃ２，ｃ４，ｃ６，ｃ８，ｃ１０，ｃ１２，ｄ３，ｄ５，ｄ７，ｄ９の領域が合焦状態となっている。図７（ａ）は、このシーンで被写界深度内の領域を示す図であり、合焦状態である、ａ６，ａ８，ｂ３，ｂ５，ｂ７，ｂ９，ｂ１１，ｃ２，ｃ４，ｃ６，ｃ８，ｃ１０，ｃ１２，ｄ３，ｄ５，ｄ７，ｄ９の領域に加え、ａ４，ａ１０，ａ１２，ｂ１，ｂ１３，ｃ０，ｄ１１の領域が被写界深度内になっている。図７（ｃ）は、この実施の第３の形態における所定領域を説明する図である。
【００６１】
この実施の形態では、ピント合わせを行った領域の横に並ぶ領域を所定領域として指定する。図７（ｃ）に、領域ｃ１０でピント合わせを行った場合の、所定領域を図示している。
【００６２】
この図から判る様に、ｃ０，ｃ２，ｃ４，ｃ６，ｃ８，ｃ１０，ｃ１２，ｃ１４，ｃ１６，ｃ１８，ｃ２０の１１領域が被写界深度状態ならば表示を行う（図７（ｄ）参照）。この領域内で合焦状態の領域は、ｃ２，ｃ４，ｃ６，ｃ８，ｃ１０の領域で、被写界深度内にｃ０が入っているので、これら６領域の表示を行う（図７（ｂ）参照）。
【００６３】
この様にピント合わせを行った領域と、所定位置関係にある領域の被写界深度内表示をすれば、赤ちゃんの顔の部分が被写界深度に入っていることが判るし、余分な表示を行って赤ちゃんの顔が見ずらくなって写真の邪魔に成ることもない。
【００６４】
（発明と実施の形態の対応）
上記実施の各形態において、焦点検出回路６が本発明の焦点検出手段に、マイクロコンピュータ１，レンズ制御回路２が本発明の焦点調節手段に、マイクロコンピュータ１及び液晶表示回路３が本発明の合焦表示制御手段、又は表示制御手段に相当し、液晶表示部材１５が本発明の表示手段に、それぞれ相当する。
【００６５】
また、図１に示す各領域（ｃ０，ａ４等）が本発明の焦点検出領域に相当し、前記液晶表示部材１５の、前記各領域に対応する不図示のセグメントが合焦状態を表示する本発明の表示部に相当する。
【００６６】
（変形例）
本発明は、一眼レフカメラ等のカメラに適用した場合を想定しているが、カメラ以外の光学機器やその他の装置に搭載される自動焦点調節装置であっても適用できるものであり、これにより、画面内において焦点調節対象を見ずらいといったことがなくなる。
【００６７】
また、上記実施の各形態においては、画面内に複数の焦点検出領域を有するカメラを想定しているが、複数の測距領域を有し、これら複数の測距領域にて得られる測距情報に基づいて焦点調節を行うカメラであっても、同様に適用できるものである。
【００６８】
更に、本発明は、以上の実施の各形態、又はそれらの技術を適当に組み合わせた構成にしてもよい。
【００６９】
【発明の効果】
以上説明したように、本発明によれば、ピント合わせを行った領域と合焦状態にある領域を明確に認識させ、さらに余分な合焦表示を行わないようにして、画面内の観察に支障を与えないようにすることができる自動焦点調節装置又は自動焦点調節方法を提供できるものである。
【００７０】
また、本発明によれば、ピント合わせを行った領域と合焦状態にある領域を明確に認識させ、さらに余分な合焦表示を行わないようにして撮影の妨げにならないようにすることができる自動焦点カメラ又は撮像装置を提供できるものである。
【図面の簡単な説明】
【図１】本発明の実施の各形態に係る自動焦点カメラにおける焦点検出領域及び該領域での焦点状態を表示する領域について説明する為の図である。
【図２】本発明の実施の各形態に係る自動焦点カメラの電気的構成を示すブロック図である。
【図３】本発明の実施の各形態に係る自動焦点カメラの一連の動作の概略を示すフローチャートである。
【図４】本発明の実施の第１の形態に係る自動焦点カメラにおける合焦状態表示及び合焦状態にある焦点検出領域について説明する為の図である。
【図５】本発明の実施の第２の形態に係る自動焦点カメラにおける合焦状態表示及び合焦状態にある焦点検出領域について説明する為の図である。
【図６】同じく本発明の実施の第２の形態に係る自動焦点カメラにおける合焦状態表示及び合焦状態にある焦点検出領域について説明する為の他の例を示す図である。
【図７】本発明の実施の第３の形態に係る自動焦点カメラにおける合焦状態表示及び合焦状態にある焦点検出領域について説明する為の図である。
【図８】従来の自動焦点カメラにおける合焦状態表示及び合焦状態にある焦点検出領域について説明する為の図である。
【符号の説明】
１      マイクロコンピュータ
２      レンズ制御回路
３      液晶表示回路
６      焦点検出装置
１３    撮影レンズ
１５    液晶表示部材
ＡＡＲ  全焦点検出領域
【図１】
0003610218.tif 000002
【図２】
0003610218.tif 000003
【図３】
0003610218.tif 000004
【図４】
0003610218.tif 000005
【図５】
0003610218.tif 000006
【図６】
0003610218.tif 000007
【図７】
0003610218.tif 000008
【図８】
0003610218.tif 000009